(57)【特許請求の範囲】
【請求項１】
原稿を光源により露光、走査して光電変換素子により読み取って画像データを取得する読取手段と、
前記画像データに対して、前記光源が消灯している期間に前記読取手段により読み取った画像データを黒オフセット補正データとして用いて黒シェーディング補正を行う黒補正手段と、
前記読取手段及び前記黒補正手段に対する制御信号を発生する制御信号発生手段と、
前記制御信号発生手段に前記原稿の読み取り開始信号を出力する制御手段と、を備え、
前記制御手段が前記読み取り開始信号を出力して所定の期間が経過してから、前記制御信号発生手段が前記光源の点灯開始を指示する光源点灯信号を出力することにより、前記読み取り開始信号の出力から前記光源点灯信号の出力までの所定の期間に、前記黒補正手段による前記黒シェーディング補正に用いる前記黒オフセット補正データの検出及び前記黒補正手段による前記黒シェーディング補正を行い、前記光源点灯信号により前記光源が点灯している期間に、前記読取手段による読み取り動作を行うことを特徴とする画像読取装置。
【請求項２】
請求項１に記載の画像読取装置と、この画像読取装置で取得した画像データに基づいて画像形成を行う画像形成装置と、を備えていることを特徴とする複写機。
【請求項３】
請求項１に記載の画像読取装置と、この画像読取装置で取得した画像データをネットワークに送信し、また、前記ネットワークから画像データを受信する送受信装置と、この送受信装置で受信した画像データに基づいて画像形成を行う画像形成装置と、を備えていることを特徴とするファクシミリ装置。
【請求項４】
請求項１に記載の画像読取装置と、この画像読取装置で取得した画像データをネットワークに送信し、また、前記ネットワークから画像データを受信する送受信装置と、この送受信装置で受信した画像データ、前記画像読取装置で取得した画像データまたは外部から受信した画像データに基づいて画像形成を行う画像形成装置と、を備えていることを特徴とする複合機。
【発明の詳細な説明】
【０００１】
【発明の属する技術分野】
この発明は、原稿の画像を読み取る画像読取装置、ならびに、この画像読取装置を備えた複写機、ファクシミリ装置および複合機に関する。
【０００２】
【従来の技術】
従来の密着ラインイメージセンサを使用している画像処理装置では、ＣＣＤイメージセンサのように１ライン毎の黒オフセット補正データを持っていないため、白基準板を読み込み、続いて原稿の画像データを読み取る前に、黒シェーディング補正用の黒オフセット補正データを生成する必要があり、この黒オフセット補正データを生成する場合は、基準黒板を使用して、白シェーディング補正用の基準白板同様に読み取っていた。また別の手段としては、光源が消灯している期間に、黒オフセット補正データ生成用の専用の制御信号を出力して基準黒板を使用することなく、黒オフセット補正データを生成していた（特開昭６３−１８７６３号公報）。
【０００３】
また、特開平８−１１６４３６号公報、特開平１１−５５５１１号公報には、原稿の読み取り開始の指示がなされた後、原稿の読み取りを開始する前に、露光用の光源を消灯させた状態で黒オフセット補正データを生成する技術が開示されている。
【０００４】
【発明が解決しようとする課題】
しかし、前記従来技術においては、黒オフセット補正データ生成用の専用の制御信号を出力する専用の信号線が必要となり、その分、製造コストが高くなるという不具合がある。
【０００５】
この発明の目的は、画像読取装置の構成を従来に比べて簡易なものとして、製造コストを低減できるようにすることである。
【０００６】
この発明の別の目的は、簡単な制御で黒オフセット補正データの生成を行えるようにすることである。
【０００７】
【課題を解決するための手段】
請求項１に記載の発明は、原稿を光源により露光、走査して光電変換素子により読み取って画像データを取得する読取手段と、前記画像データに対して、前記光源が消灯している期間に前記読取手段により読み取った画像データを黒オフセット補正データとして用いて黒シェーディング補正を行う黒補正手段と、前記読取手段及び前記黒補正手段に対する制御信号を発生する制御信号発生手段と、前記制御信号発生手段に前記原稿の読み取り開始信号を出力する制御手段と、を備え、前記制御手段が前記読み取り開始信号を出力して所定の期間が経過してから、前記制御信号発生手段が前記光源の点灯開始を指示する光源点灯信号を出力することにより、前記読み取り開始信号の出力から前記光源点灯信号の出力までの所定の期間に、前記黒補正手段による前記黒シェーディング補正に用いる前記黒オフセット補正データの検出及び前記黒補正手段による前記黒シェーディング補正を行い、前記光源点灯信号により前記光源が点灯している期間に、前記読取手段による読み取り動作を行うことを特徴とする画像読取装置である。
【０００８】
したがって、黒オフセット補正データ生成を指示する制御信号を原稿の読み取り開始の指示に関する制御信号で代用して、黒オフセット補正データ生成用の制御信号を出力する専用の信号線を不要とできる。詳細には、黒オフセット補正データ生成を指示する制御信号を露光用の光源の点灯開始を指示する制御信号で代用して、光源が消灯しているときに行わなければならない黒オフセット補正データの生成の制御を省くことができる。
【００１１】
請求項２に記載の発明は、請求項１に記載の画像読取装置と、この画像読取装置で取得した画像データに基づいて画像形成を行う画像形成装置と、を備えていることを特徴とする複写機である。
【００１２】
したがって、請求項１に記載の発明と同様の作用を奏する。
【００１３】
請求項３に記載の発明は、請求項１に記載の画像読取装置と、この画像読取装置で取得した画像データをネットワークに送信し、また、前記ネットワークから画像データを受信する送受信装置と、この送受信装置で受信した画像データに基づいて画像形成を行う画像形成装置と、を備えていることを特徴とするファクシミリ装置である。
【００１４】
したがって、請求項１に記載の発明と同様の作用を奏する。
【００１５】
請求項４に記載の発明は、請求項１に記載の画像読取装置と、この画像読取装置で取得した画像データをネットワークに送信し、また、前記ネットワークから画像データを受信する送受信装置と、この送受信装置で受信した画像データ、前記画像読取装置で取得した画像データまたは外部から受信した画像データに基づいて画像形成を行う画像形成装置と、を備えていることを特徴とする複合機である。
【００１６】
したがって、請求項１に記載の発明と同様の作用を奏する。
【００１７】
【発明の実施の形態】
［発明の実施の形態１］
図１は、この発明の実施の形態１である画像読取装置の概略構成を示す断面図である。この画像読取装置１は、周知の構成のフラットベッドスキャナ２（構成の詳細は省略する）を備え、このフラットベッドスキャナ２上にはＡＤＦ（オート・ドキュメント・フィーダ）３が設けられている。
【００１８】
ＡＤＦ３は、原稿４を積載するトレイ５を備え、このトレイ５に載置された原稿４は、周知の機構により１枚づつ分離され、搬送路６を搬送されて、コンタクトガラス７上でフラットベッドスキャナ２により表面の画像を読み取られる。表面の画像を読み取られた後の原稿４は、排紙トレイ３２に排出される。
【００１９】
また、搬送路６の途上には密着イメージセンサ８が配置され、搬送路６を搬送される原稿４を露光走査して、原稿４の裏面の画像を読み取る。
【００２０】
この密着イメージセンサ８による原稿４の読み取り動作を行う前に、密着イメージセンサ８内に内蔵されている露光走査用の光源（図２に示すＬＥＤアレイ１１）自身のバラツキや、温度、経時変下によるバラツキ、光源や光電変換素子（図２に示すセンサ１２）等の主走査方向における１ラインのバラツキを補正するための白基準となる基準白板９が密着イメージセンサ８の対抗面に設けられている。この基準白板９を密着イメージセンサ８で読み取るとき、密着イメージセンサ８からの読み取り出力のピーク値が、あらかじめ定められた目標値になるように、密着イメージセンサ８内の利得可変増幅器の利得を可変して調整する。白基準を基準白板９から読み取った後に、原稿４が搬送され、原稿の画像データを密着イメージセンサ８で読み取る。
【００２１】
図２は、密着イメージセンサ８を含む画像読み取りユニットの電気的な接続を示すブロック図である。図２において、光源であるＬＥＤアレイ１１により基準白板９または原稿４が照射されると、光電変換素子であるセンサ１２，１２，…で読み取られる。各センサ１２から出力される画像データは、サンプルホールド回路（Ｓ／Ｈ）１３，１３，…でサンプリングされ、次のサンプリングまで保持される。このサンプルホールド回路１３の出力は、Ａ／Ｄ変換器１４，１４，…の入力端子Ｖｉｎに入力される。Ａ／Ｄ変換器１４のもう一方の入力端子であるＶｒｅｆには基準となる値が入力され、その基準値に対して入力Ｖｉｎがどの位のレベルに達しているかが判断されて、入力端子Ｖｉｎへの入力電圧がＡ／Ｄ変換され、デジタル画像データとして出力される。Ａ／Ｄ変換器１４より出力されたデジタル画像データは、メモリ１５で１ライン分の画像データに合成された後、黒補正回路１６において、あらかじめ記憶されていた黒オフセットデータを減算することにより黒シェーディング補正がなされる。この黒シェーディング補正後の画像データは、シェーディング補正回路１７で、基準白板９から読み取ったシェーディングデータに基づいて白シェーディング補正され、図示しない画像処理部へ出力される。
【００２２】
また、メモリ１５から出力された画像データは、リファレンスコントロール回路１８にも入力される。図３は、リファレンスコントロール回路１８のブロック図である。図３に示すように、メモリ１５で１ラインに合成されたデジタル画像データは、平均値回路２１でノイズを除去される。平均値回路２１でノイズを除去された画像データは、コンパレータ２２で、あらかじめ設定されている比較値と比較される。そして、比較値より高い場合はＨレベル信号が出力され、低い場合はＬレベル信号が出力される。この出力されたＨレベル信号やＬレベル信号は、Ｄ／Ａ変換器２３でアナログデータに変換され、そのピーク値がピーク・ホールド（Ｐ／Ｈ）回路２４で検出されて、Ａ／Ｄ変換器１４の基準電圧（Ｖｒｅｆ）として用いられる。
【００２３】
ここで、 Ａ／Ｄ変換器１４の基準電圧（Ｖｒｅｆ）に用いられる電圧は３種類用意されており、画像読取装置１のモードによって使い分ける。原稿の地肌の濃度を除去する地肌除去機能を使用するモードの場合は、前記したように、ピーク・ホールド回路２４の出力値がＡ／Ｄ変換器１４のＶｒｅｆに使用される。また、地肌除去機能を使用しないモードの場合は、基準白板９用および原稿４用にそれぞれ予め設定された白板用電圧、原稿用電圧がＤ／Ａ変換器２５，２６でＤ／Ａ変換されて、Ａ／Ｄ変換器１４の基準電圧Ｖｒｅｆとして使用される。これら３つの信号の各切換は、それぞれ、ゲート信号発生回路１９（図２参照）から出力するゲート信号ＷＴＧＴ，ＤＯＧＧＴ，ＡＥＭＯＤＥによりスイッチ２７，２８，２９を切り替えて、択一的にＡ／Ｄ変換器１４に出力する。なお、ゲート信号ＰＷＩＮＤは平均値回路２１における原稿４の地肌の読取期間を決める信号であり、ゲート信号ＳＨＧＴ，ＳＦＧＡＴＥはシェーディング補正回路１７における白シェーディング補正に関する制御信号である。また、インバータ３０でゲート信号ＡＥＭＯＤＥを反転した信号でスイッチ３１を開閉し、ピーク・ホールド回路２４をＧＮＤと接続してリセットする。そのほか、図２、図３に示す回路の詳細については、特開平９−２２４１５６号公報を参照のこと。
【００２４】
図４は、画像読取装置１の各信号のタイミングチャートである。画像読取装置１の全体を集中的に制御する制御部であるマイコン２０は、画像読取装置１による原稿４の読み取り開始を指示する制御信号である読み取り開始信号を出力する。この読み取り開始信号の出力により、黒補正用のデータを生成するためにｎライン分（Ｌ１の期間）だけ光源であるＬＥＤアレイ１１を点灯しない状態で密着イメージセンサ８により黒オフセット補正データを読み込む。これにより黒オフセットデータ検出手段を実現している。読み取られた黒オフセット補正データは、黒補正回路１６内のメモリに記憶される。その後ＬＥＤアレイ１１を点灯し（読み取り開始信号の出力後Ｌ１の期間が経過してから、ＬＥＤアレイ１１の点灯を指示する光源点灯信号を密着イメージセンサ８に出力する）、マイコン２０が出力するゲート信号ＳＬＥＡＤ（基準白板９の読み取り範囲を示す信号）、ＳＳＣＡＮ（原稿４の読み取り範囲を示す信号）に基づいて、基準白板９および原稿４の読み取り動作を開始する。
【００２５】
以上のように、この発明の画像読取装置１によれば、黒オフセット補正データを生成するための制御信号として、画像読取装置１による原稿４の読み取り開始を指示する制御信号である読み取り開始信号を用いているので、従来のような黒オフセット補正データ生成用の専用の信号線が不必要とすることができるので、これにより、画像読取装置１の構成を簡易なものとして、製造コストを低減できる。
【００２６】
また、読み取り開始信号としては、露光走査用の光源であるＬＥＤアレイ１１の点灯開始を指示する制御信号を使用する。これにより、光源が消灯しているときに行わなければならない黒オフセット補正データの生成の制御を省くことができ、簡単な制御で黒オフセット補正データの生成を行えるようにすることができる。
【００２７】
さらに、黒オフセット補正データの読み取りのために、ＬＥＤアレイ１１を消灯したまま密着イメージセンサ８を動作させるので、黒基準は不要として、画像読取装置１の構成を簡易なものとすることができる。
【００２８】
［発明の実施の形態２］
図５は、この発明の実施の形態２である複写機の概略構成を示すブロック図である。この複写機４１は、前記の画像読取装置１と、この画像読取装置１で取得した画像データに基づく画像形成を行う画像形成装置４２とを備えている。
【００２９】
画像形成装置４２は、電子写真方式で画像形成を行うレーザ方式の他、種々の画像形成方式を用いることができる。
【００３０】
この複写機４１でも、発明の実施の形態１の場合と同様に、画像読取装置１の構成を簡易なものとして、製造コストを低減でき、また、簡単な制御で黒オフセット補正データの生成を行える。
【００３１】
［発明の実施の形態３］
図６は、この発明の実施の形態３であるファクシミリ装置の概略構成を示すブロック図である。このファクシミリ装置５１は、前記の画像読取装置１と、この画像読取装置１で取得した画像データを電話回線などのネットワーク５２に送信し、また、ネットワーク５２から画像データを受信する送受信装置５３と、この送受信装置で受信した画像データに基づいて画像形成を行う画像形成装置５４とを備えている。
【００３２】
画像形成装置５４は、電子写真方式で画像形成を行うレーザ方式の他、種々の画像形成方式を用いることができる。
【００３３】
このファクシミリ装置５１でも、発明の実施の形態１、２の場合と同様に、画像読取装置１の構成を簡易なものとして、製造コストを低減でき、また、簡単な制御で黒オフセット補正データの生成を行える。
【００３４】
［発明の実施の形態４］
図７は、この発明の実施の形態４であるファクシミリ装置の概略構成を示すブロック図である。この複合機６１は、前記の画像読取装置１と、この画像読取装置１で取得した画像データをネットワーク６２に送信し、また、ネットワーク６２から画像データを受信する送受信装置６３と、
この送受信装置６３で受信した画像データ、画像読取装置１で取得した画像データまたは外部から受信した画像データに基づいて画像形成を行う画像形成装置６４とを備えている。
【００３５】
画像形成装置６４は、電子写真方式で画像形成を行うレーザ方式の他、種々の画像形成方式を用いることができる。
【００３６】
この複合機６１でも、発明の実施の形態１、２、３の場合と同様に、画像読取装置１の構成を簡易なものとして、製造コストを低減でき、また、簡単な制御で黒オフセット補正データの生成を行える。
【００３７】
【発明の効果】
請求項１に記載の発明は、黒オフセット補正データ生成を指示する制御信号を原稿の読み取り開始の指示に関する制御信号で代用して、黒オフセット補正データ生成用の制御信号を出力する専用の信号線を不要とできるので、従来に比べて画像読取装置の構成を簡易化し、製造コストを低減できる。詳細には、黒オフセット補正データ生成を指示する制御信号を露光用の光源の点灯開始を指示する制御信号で代用して、光源が消灯しているときに行わなければならない黒オフセット補正データの生成の制御を省くことができ、簡単な制御で黒オフセット補正データの生成を行える。
【００３９】
請求項２に記載の発明は、請求項１に記載の発明と同様の効果を奏する。
【００４０】
請求項３に記載の発明は、請求項１に記載の発明と同様の効果を奏する。
【００４１】
請求項４に記載の発明は、請求項１に記載の発明と同様の効果を奏する。
【図面の簡単な説明】
【図１】この発明の実施の形態１である画像読取装置の概略構成を示す断面図である。
【図２】前記画像読取装置の画像読み取りユニットの電気的な接続を示すブロック図である。
【図３】前記画像処理回路のリファレンスコントロール回路のブロック図である。
【図４】前記画像読取装置で用いられる各種制御信号のタイミングチャートである。
【図５】この発明の実施の形態２である複写機の概略構成を示すブロック図である。
【図６】この発明の実施の形態３であるファクシミリ装置の概略構成を示すブロック図である。
【図７】この発明の実施の形態４である複合機の概略構成を示すブロック図である。
【符号の説明】
１      画像読取装置
４      原稿
１１    光源
１２    光電変換素子
１６    黒補正回路
２０    マイコン
４１    複写機
４２    画像形成装置
５１    ファクシミリ装置
５２    ネットワーク
５３    送受信装置
５４    画像形成装置
６１    複合機
６２    ネットワーク
６３    送受信装置
６４    画像形成装置
【図１】
0003693228.tif 000002
【図２】
0003693228.tif 000003
【図３】
0003693228.tif 000004
【図４】
0003693228.tif 000005
【図５】
0003693228.tif 000006
【図６】
0003693228.tif 000007
【図７】
0003693228.tif 000008